(57)【要約】【課題】  優れた血行促進を有し、吸湿による変質が起こり難いうえに吸い出した体液により有効成分とともに外部に融出し難い血行促進用シートを提供する。【解決手段】  血行促進成分を吸着させた乾燥粉末の適量を、通気性をもたせた表地と裏地間に封入した血行促進用シートにおいて、血行促進用の乾燥粉末として、タール分とアルコール分を除去した竹酢酸の濃縮液を他の薬効成分とともに植物セルローズ粉末に吸着乾燥させたものを用い、この乾燥粉末をデキストリンとの混合粉末として表地と裏地間に封入してある血行促進用シート。この血行促進用シートは、混合粉末の適量ずつが相互間に区画ラインを残して表地と裏地間に碁盤目状に分配されて前記区画ライン上において表地と裏地とを切断可能にシールした細幅のシールラインを境界として縦横に連繋されたものとしてもよいし、混合粉末とともに米糠酵素の適量を封入していくこともできる。【選択図】  図１                                                                                                                                        
0003110497.tif 000002
【実用新案登録請求の範囲】
【請求項１】
血行促進成分を吸着させた乾燥粉末の適量を、少なくとも一方に通気性をもたせた表地と裏地間に封入した血行促進用シートにおいて、前記した血行促進用の乾燥粉末として、タール分とアルコール分を除去した竹酢酸の濃縮液を他の薬効成分とともに植物セルローズ粉末に吸着乾燥させたものを用い、この乾燥粉末をデキストリンとの混合粉末として表地と裏地間に封入してあることを特徴とする血行促進用シート。
【請求項２】
混合粉末の適量ずつが相互間に区画ラインを残して表地と裏地間に碁盤目状に分配されて前記区画ライン上において表地と裏地とを切断可能にシールした細幅のシールラインを境界として混合粉末が適量ずつ分包された多数の血行促進用小シートが縦横に連繋されたものとしてある請求項１に記載の血行促進用シート。
【請求項３】
表地と裏地間に前記混合粉末とともに米糠酵素の適量を封入してある請求項１または２に記載の血行促進用シート。
【請求項４】
竹酢酸の濃縮液とともに植物セルローズ粉末に吸着されている他の薬効成分が、どくだみ葉、枇杷の葉、キトサン、アスコルビン酸から選ばれた１種以上である請求項１〜３のいずれかに記載の血行促進用シート。
【請求項５】
竹酢酸の濃縮液が、竹を燻した際に生ずる燻煙を採取冷却して得た液体を槽内において所要期間放置して比重によりタール層と竹酢酸層とアルコール分とに分離し、前記竹酢酸層より採取した竹酢酸を冷暗所に所要期間放置して熟成させたうえ、常温以上８０℃以下の温度で２〜６倍に濃縮したものである請求項１〜４のいずれかに記載の血行促進用シート。
【考案の詳細な説明】
【技術分野】
【０００１】
本考案は、竹酢酸に含まれる血行促進上の有効成分を利用した血行促進用シートに関するものである。
【背景技術】
【０００２】
鎮痛や血行促進上の有効成分を含む木酢酸を有効成分として基材に吸着させた血行促進用湿布剤は特許第２９０３２９３号公報などにより知られており、また、木酢酸を高熱で蒸留させてそのうちの９８℃〜１０３℃の留分のみをデキストリン粉末に吸着乾燥させ、この乾燥粉末を通気性面を備えた袋状シート内に封入した血行促進用シートも実用新案登録第３０６９７１０号公報により知られている。
【０００３】
しかしながら、前記した特許文献１に記載のものは、木酢酸を水やアルコールで希釈してこれを保水性基材に吸着させた湿式のものであるため保存、取り扱い上不便なうえに、水やアルコールで希釈した木酢酸は十分な血行促進効果を発揮しないものであり、また、前記した特許文献２に記載のものは、血行促進成分を吸着させてある乾燥粉末として、木酢酸をデキストリン粉末やでんぷん粉末などの吸湿し易い物質の粉末に吸着させたものであって、流通過程や保管中における吸湿により固化して性能が損なわれ易いうえに、デキストリン粉末やでんぷん粉末が使用により吸い出す体液が多いと短時間のうちに有効成分とともに外部に融出して周囲を汚すおそれもあり、また、血行促進上の主成分である木酢酸の発するタール臭が嫌われるなどいくつかの問題をもつものであった。
【特許文献１】特許第２９０３２９３号公報
【特許文献２】実用新案登録第３０６９７１０号公報
【考案の開示】
【考案が解決しようとする課題】
【０００４】
本考案は前記のような問題を解決するとともに、より優れた血行促進を有しており、しかも、流通過程や保管中における変質が起こり難いうえに吸い出した体液により短時間のうちに有効成分とともに外部に融出することのない血行促進用シートを提供することにある。
【課題を解決するための手段】
【０００５】
上記の課題を解決した本考案に係る血行促進用シートは、血行促進成分を吸着させた乾燥粉末の適量を、少なくとも一方に通気性をもたせた表地と裏地間に封入した血行促進用シートにおいて、前記した血行促進用の乾燥粉末として、タール分とアルコール分を除去した竹酢酸の濃縮液を他の薬効成分とともに植物セルローズ粉末に吸着乾燥させたものを用い、この乾燥粉末をデキストリンとの混合粉末として表地と裏地間に封入してあることを特徴とする。
【０００６】
なお、前記した血行促進用シートにおいて、混合粉末の適量ずつが相互間に区画ラインを残して表地と裏地間に碁盤目状に分配されて前記区画ライン上において表地と裏地とを切断可能にシールした細幅のシールラインを境界として混合粉末が適量ずつ分包された多数の血行促進用小シートが縦横に連繋されたものとしておけば、使用目的に応じた大きさに切断して使用できる利点があるし、表地と裏地間に前記混合粉末とともに米糠酵素の適量を封入しておけば、この米糠酵素の抗菌作用と体内への吸収作用とによって血行促進成分や他の薬効成分の体内への吸収を高め、新陳代謝を促進できる利点があるので特に好ましい。さらに、竹酢酸の濃縮液とともに植物セルローズ粉末に吸着されている他の薬効成分としては、皮膚からの吸収がよいどくだみ葉、枇杷の葉、キトサン、アスコルビン酸から選ばれた１種以上が好ましい。
【０００７】
また、前記した血行促進用シートに用いる竹酢酸の濃縮液としては、竹を燻した際に生ずる燻煙を採取冷却して得た液体を槽内において所要期間放置して比重によりタール層と竹酢酸層とアルコール分とに分離し、前記竹酢酸層より採取した竹酢酸を冷暗所に所要期間放置して熟成させたうえ、常温以上８０℃以下の温度で２．５〜６倍、特に、３倍〜５倍に濃縮したものが特に有効なうえ経済的である。
【考案の効果】
【０００８】
前記した本考案の血行促進用シートは、従来のこの種の血行促進用シートと同じように通気性のある表地または裏地を皮膚との当接面として患部やつぼなどに密接し、これにより血行促進成分を皮膚より吸収させるとともにて体液を吸い出すものであるが、本考案では、血行促進用の乾燥粉末として、タール分とアルコール分を除去した竹酢酸の濃縮液を用いたことと、この濃縮液を他の薬効成分とともに吸着させる媒体として、植物セルローズ粉末を用いたこと、および、この植物セルローズ粉末に予め竹酢酸の濃縮液その他の血行促進成分や薬効成分を吸着乾燥しておくことを最大特長としている。
【０００９】
すなわち、血行促進成分として木酢酸よりはるかに血行促進効果に優れた竹酢酸を採用し、この竹酢酸よりタール分とアルコール分を除去したうえ濃縮した竹酢酸の濃縮液を他の薬効成分とともに用いているため、血行促進効果が極めて高いうえにタール臭やアルコール臭が少なく、また、血行促進成分としての濃縮液や他の薬効成分を吸着させる媒体として、嵩張ることなく吸着性能に優れているうえにデキストリン粉末やでんぷん粉末に比べて吸湿性が少なく、しかも、水に溶融しない植物セルローズ粉末を用いてこれに予め濃縮液や他の薬効成分を吸着乾燥させてあることにより、デキストリン粉末に直接吸着させたもののように流通過程や保管中の吸湿により固化して商品価値を喪失したり、使用により吸い出した多量の体液を吸収しても溶融して血行促進成分とともに外部に流出することがなく、周囲を汚すおそれがないうえに、長時間にわたり有効に作用する利点がある。しかも、試験結果によれば、タール分とアルコール分を除去した竹酢酸の濃縮液を他の薬効成分とともに植物セルローズ粉末に吸着乾燥させた乾燥粉末とデキストリンとの混合粉末からはマイナスイオンのみでプラスイオンの発生は全くなく、この点からも健康上好ましいものであった。
【００１０】
また、米糠酵素の適量を封入しておけば、使用前ではこの米糠酵素が生きたまま冬眠状態に保たれ、使用の際に身体に付着した部位を刺激して体内からの水分吸収を促進しデキストリンに水分を吸着し、４〜５時間の間に１０億以上に増殖されてこれが体内に取り込まれてさらに竹酢酸の濃縮液の血行促進効果や他の薬効成分の薬効を高めることとなるのでより有効なものとなる。
【考案を実施するための最良の形態】
【００１１】
次に、本考案の血行促進用シートを実施するための最良の形態として、乾燥粉末の適量ずつを分包してある血行促進用小シートの多数個が碁盤目状に連繋された図示例について詳細に説明する。
図において１、２はいずれも大きさが３００ｍｍ×４５０ｍｍの熱溶融性繊維系の不織布よりなる表地と裏地であるが、表地１は通気性のある薄手の不織布が用いられ、裏地２としては表地１よりも通気性が乏しいうえに厚い不織布が用いられている。３は表地１と裏地２とを碁盤目状に熱融着している細幅のシールラインであって、このシールライン３により区画される枡目状部分の表地１と裏地２間には、タール分とアルコール分を除去した竹酢酸の濃縮液を他の薬効成分とともに植物セルローズ粉末に予め吸着乾燥させてある乾燥粉末と、植物セルローズ粉末との混合粉末４が封入されており、これによりシールライン３において切断可能なように縦１０個・横１０個、計１００個の血行促進用小シート５が連繋した状態とされている。
【００１２】
次に、混合粉末の好ましい配合例を表１に記す。（重量比）    
【表１】
0003110497.tif 000003
【図面の簡単な説明】
【００１３】
【図１】本考案の血行促進用シートの１例を示す一部切欠斜視図である
【符号の説明】
【００１４】
１  表地
２  裏地
３  シールライン
４  混合粉末
５  血行促進用小シート                                                        
【図１】
0003110497.tif 000004